(57)【特許請求の範囲】
【請求項１】
電動機の出力をトルクコンバータを介してトランスミッション（変速機）に伝達する構造のオートマティック・トランスミッションを備えた車両のコンバートＥＶの動力伝達装置で、トルクコンバータの代わりに取り付ける動力伝達装置であって、前記電動機の出力軸に取り付けた電動機側フランジを、前記トランスミッション側に取り付けたトランスミッション側フランジと結合して、前記電動機の出力を前記トランスミッションを切替制御するためのラインプレッシャを発生する油圧ポンプに伝達すると共に、前記ミッション側フランジを前記ミッション側フランジ内に設けたスプラインリングを介して前記トランスミッションの入力軸にスプライン結合させ、前記電動機の出力を直接前記トランスミッションに伝達することで前記トランスミッションの動力伝達効率を改善するようにしたことを特徴とするコンバートＥＶの動力伝達装置。
【発明の詳細な説明】
【技術分野】
【０００１】
本発明は、オートマティック・トランスミッション車をベース車両とするコンバートＥＶ（改造電気自動車）の動力伝達装置に関するものである。
【０００２】
より詳しくは、オートマティック・トランスミッション車を電気自動車に改造（コンバート）する場合に、動力伝達効率の低いトルクコンバータを使用せず、電動機からトランスミッションへ動力伝達する装置に関するものである。
【背景技術】
【０００３】
従来、トルクコンバータを用いた車両用駆動装置としては、例えば、下記の特許文献１、２のようなものがあった。
【０００４】
現在、日本の市場に出回っている車両の９０％以上がオートマティック・トランスミッション車である。しかしながら、オートマティック・トランスミッション車からコンバートＥＶを作製する場合に、トルクコンバータを使用した動力伝達方式で行うと、伝達効率が低くなり、一充電走行距離が短くなるという問題点があった。そこで、現在はマニュアル・トランスミッション車をベース車両として選定している。
【先行技術文献】
【特許文献】
【０００５】
【特許文献１】特開２００６−３４９１１４号公報
【特許文献２】特開平３−２６２７２６号公報
【発明の概要】
【発明が解決しようとする課題】
【０００６】
しかしながら、上記したように、オートマティック・トランスミッション車が主流の現状で、マニュアル・トランスミッション車をベース車両として入手することは困難であり、オートマティック・トランスミッション車をベース車両としたコンバートＥＶの伝達効率の改善が求められていた。
【０００７】
本発明は、上記状況に鑑みて、オートマティック・トランスミッションの効率を改善したコンバートＥＶの動力伝達装置を提供することを目的とする。
【課題を解決するための手段】
【０００８】
本発明は、上記目的を達成するために、
〔１〕電動機の出力をトルクコンバータを介してトランスミッション（変速機）に伝達する構造のオートマティック・トランスミッションを備えた車両のコンバートＥＶの動力伝達装置で、トルクコンバータの代わりに取り付ける動力伝達装置であって、前記電動機（１）の出力軸（２）に取り付けた電動機側フランジ（３）を、前記トランスミッション側に取り付けたトランスミッション側フランジ（４）と結合して、前記電動機（１）の出力を前記トランスミッション（９）を切替制御するためのラインプレッシャを発生する油圧ポンプ（７）に伝達すると共に、前記ミッション側フランジ（４）を前記ミッション側フランジ（４）内に設けたスプラインリング（５）を介して前記トランスミッションの入力軸（６）にスプライン結合させ、前記電動機（１）の出力を直接前記トランスミッション（９）に伝達することで前記トランスミッションの動力伝達効率を改善するようにしたことを特徴とする。
【発明の効果】
【０００９】
本発明によれば、オートマティック・トランスミッション車を用いてエネルギー効率の良いコンバートＥＶを製作することができる。さらに、市場に多いオートマティック・トランスミッション車をベース車両とすることで、コンバートＥＶの大量普及に寄与することができる。
【図面の簡単な説明】
【００１０】
【図１】本発明の実施例を示すコンバートＥＶの動力伝達装置のトランスミッションとの連係部を示す断面図である。
【図２】本発明の実施例を示すコンバートＥＶの概略構成を示す模式図である。
【発明を実施するための形態】
【００１１】
電動機の出力をトルクコンバータを介してトランスミッション（変速機）に伝達する構造のオートマティック・トランスミッションを備えた車両のコンバートＥＶの動力伝達装置で、トルクコンバータの代わりに取り付ける動力伝達装置であって、前記電動機（１）の出力軸（２）に取り付けた電動機側フランジ（３）を、前記トランスミッション側に取り付けたトランスミッション側フランジ（４）と結合して、前記電動機（１）の出力を前記トランスミッション（９）を切替制御するためのラインプレッシャを発生する油圧ポンプ（７）に伝達すると共に、前記ミッション側フランジ（４）を前記ミッション側フランジ（４）内に設けたスプラインリング（５）を介して前記トランスミッションの入力軸（６）にスプライン結合させ、前記電動機（１）の出力を直接前記トランスミッション（９）に伝達することで前記トランスミッションの動力伝達効率を改善するようにした。
【実施例】
【００１２】
以下、本発明の実施の形態について詳細に説明する。
【００１３】
図１は本発明の実施例を示すコンバートＥＶの動力伝達装置のトランスミッションとの連係部を示す断面図、図２は本発明の実施例を示すコンバートＥＶの概略構成を示す模式図である。
【００１４】
これらの図において、１は電動機、２は電動機１の出力軸、３は電動機側フランジ、３ａは押さえ蓋、３ｂはＯリング、４はミッション側フランジ、５はスプラインリング、６はオートマティック・トランスミッション９の入力軸、７は油圧ポンプであり、ここで、電動機側フランジ３、ミッション側フランジ４及びスプラインリング５とを連係部８と呼び、この連係部８は電動機１の出力軸２からオートマティック・トランスミッション９へ動力を伝達する。１０はオートマティック・トランスミッション９のコントロール・バルブ、１１は車輪、２１は車両の全体を制御する電子制御装置である。なお、オートマティック・トランスミッション９の詳細な構成は省略するが、従来のオートマティック・トランスミッション（上記特許文献１や２の機構を含む）を用いることができる。
【００１５】
これらの図に示すように、本発明のコンバートＥＶの動力伝達装置は、動力伝達効率の低いトルクコンバータを使用せず、電動機１から連係部８を介してオートマティック・トランスミッション９へ動力を伝達する。電動機１の動力は、その電動機１に取り付けられた電動機側フランジ３、ミッション側フランジ４、スプラインリング５を経て入力軸６に伝達される。ミッション側フランジ４は、スプラインリング５を介して動力を伝達すると共に、連係部８がオートマティック・トランスミッション９のラインプレッシャを発生させるための油圧ポンプ７を駆動できる構造とする。このような構成により、電動機１の回転を直接オートマティック・トランスミッション９の入力軸へ伝達し、オートマティック・トランスミッション９としての機能を維持するようにする。
【００１６】
また、前記オートマティック・トランスミッションの従来のトルクコンバータ内へ流入する入力軸６外周部の油路は遮断する構造とする。
【００１７】
このように、従来の車両用動力伝達装置で用いられていたトルクコンバータを取り除き、それに代わる動力伝達を行う連係部８を構成するようにしている。
【００１８】
なお、本発明は上記実施例に限定されるものではなく、本発明の趣旨に基づき種々の変形が可能であり、これらを本発明の範囲から排除するものではない。
【産業上の利用可能性】
【００１９】
本発明のコンバートＥＶの動力伝達装置は、オートマティック・トランスミッションの効率を改善したコンバートＥＶの動力伝達装置として利用可能である。
【符号の説明】
【００２０】
１    電動機
２    電動機の出力軸
３    電動機側フランジ
３ａ    押さえ蓋
３ｂ    Ｏリング
４    ミッション側フランジ
５    スプラインリング
６    入力軸
７    油圧ポンプ
８    連係部
９    オートマティック・トランスミッション
１０    コントロール・バルブ
１１    車輪
２１    電子制御装置
【図１】
0005669019.tif 000002
【図２】
0005669019.tif 000003